(57)【要約】      （修正有）【課題】介護者の負担を軽減するとともに、被介護者にとっても抱きつきやすい介護補助具を提供する。【解決手段】介護補助ベスト１は、ベスト本体７、ショルダーストラップ３、腰ベルト４、取っ手２及び補強ベルト５、６、１６で構成されている。ショルダーストラップ３と腰ベルト４は、介護者１４が着用するためのもので、ベスト本体７の背面には補強ベルト５、６、１６等を介して複数の取っ手２が保持されており、被介護者により適した位置の取っ手２を掴むことが出来る。【選択図】図１
0003207382.tif 000002
【実用新案登録請求の範囲】
【請求項１】
介護者が被介護者を介護するときの介護補助具であって、前記介護者が着る上着又は腰の一部に、前記被介護者が掴むことのできる取っ手が、身体の中心線の両側に設けられている介護補助具。
【請求項２】
前記上着の上半分と下半分にそれぞれ前記取っ手が設けられている請求項１に記載の介護補助具。
【請求項３】
前記上着が、ショルダーストラップを備えたベストである請求項１又は２に記載の介護補助具。
【請求項４】
前記取っ手が、前記腰に装着するベルトに対して着脱可能である請求項１から３の何れかに記載の介護補助具。
【請求項５】
前記上着が、背中で交差する２本のクロスベルトから成り、該クロスベルトの４本の腕にそれぞれ前記取っ手が設けられている請求項１に記載の介護補助具。
【考案の詳細な説明】
【技術分野】
【０００１】  本考案は、介護者が被介護者を抱きかかえるときに介護者の負担を軽減するための介護補助具に関する。
【背景技術】
【０００２】  介護者が高齢者（以下、被介護者という。）を抱きかかえるときは、被介護者を介護者に抱きつかせた状態で被介護者の腰に手を回して抱き上げるが、そのとき、被介護者は、介護者にしがみつくので、介護者の上着が伸びたり、背中にアザができたりする。【０００３】  また、被介護者が介護者にしがみつかないときは、被介護者を抱き上げるときの介護者にとっては、大きな負担になってしまう。
【考案の概要】
【考案が解決しようとする課題】
【０００４】  本考案は、こうした介護者の負担を軽減するとともに、被介護者にとっても抱きつきやすい介護補助具を提供することを課題とする。
【課題を解決するための手段】
【０００５】  本考案に係る介護補助具は、介護者が被介護者を介護するときの介護補助具であって、前記介護者が着る上着又は腰の一部に、前記被介護者が掴むことのできる取っ手が、身体の中心線の両側に設けられているものである。【０００６】  また、前記上着の上半分と下半分にそれぞれ前記取っ手が設けられている。これにより、介護者の体格の大小により取っ手の位置が選択可能になる。【０００７】  また、前記上着が、ショルダーストラップを備えたベストである。これにより、被介護者が取っ手を掴んだときに、上着がずれなくなる。【０００８】  また、前記取っ手が、前記腰に装着するベルトに対して着脱可能である。これにより、腰のベルトに取っ手を装着したり、取り付け位置をずらすことができる。【０００９】  さらに、前記上着が、背中で交差する２本のクロスベルトから成り、該クロスベルトの４本の腕にそれぞれ前記取っ手が設けられている。これにより、介護者の服装の一部として外観的にも自然であり、取り扱いがしやすくなる。
【考案の効果】
【００１０】  この介護補助具を利用すれば、被介護者を楽に抱きかかえることができる。
【図面の簡単な説明】
【００１１】
【図１】  介護補助ベストの背面図
【図２】  介護補助ベストの正面図
【図３】  介護補助ベストの使用状態図
【図４】  介護補助取っ手の外観図
【図５】  介護補助取っ手の使用状態図
【図６】  介護補助取っ手カバーの外観図
【図７】  介護補助取っ手カバーの展開図
【図８】  介護補助クロスベルトの背面図
【図９】  介護補助クロスベルトの正面図
【考案を実施するための形態】
【００１２】  以下、本考案の実施の形態を図１〜図９に基づいて説明する。
【００１３】    実施の形態に係る介護補助ベスト１について、図１〜図３に基づいて説明する。図１〜図３はそれぞれ、介護補助ベスト１の背面図、正面図、使用状態図を示している。
介護補助ベスト１は、ベスト本体７、ショルダーストラップ３、腰ベルト４、取っ手２及び補強ベルト５、６、１６で構成されている。ショルダーストラップ３と腰ベルト４は、介護者１４が着用するためのもので、ベスト本体７の背面には補強ベルト５、６、１６等を介して複数の取っ手２が保持されており、被介護者１５により適した位置の取っ手２を掴むことが出来る。
図３の使用状態図に示すように、被介護者１５が立ち上がったり、移乗したりするときに取っ手２を握ってもらうことで、介護者１４は被介護者１５を安定して抱きかかえることができる。特に、取っ手２の取り付け位置を体の中心線の両側に配置することより、被介護者１５は両手で取っ手２を確実に掴むことが出来、また、介護補助具をベスト状にすることにより横ズレが少なく安定して、介護者１４は介護補助具を着用出来る。
また、図１に示すように、前記介護補助ベスト１の上半分と下半分にそれぞれ前記取っ手２が設けられている。これにより、介護者の体格の大小により取っ手２を掴む位置が選択可能になる。
【００１４】  ショルダーストラップ３と腰ベルト４は、少し幅広で個人により長さ調節が出来る。横補強ベルト５、縦補強ベルト６、及び斜め補強ベルト１６は、被介護者１５が掴まった取っ手２の引っ張りに対する力を受け止める。前固定ベルト８は、力が掛った時に介護補助ベスト１の横ズレを防止する。着脱バックル９及び１０は、それぞれ前固定ベルト８と腰ベルト４のワンタッチ接続具である。
上記の介護補助ベスト１は、ベスト本体７がある実施例を記載したが、ベスト本体７が無い介護補助クロスベルト１７について、図８〜図９に基づいて説明する。図８〜図９はそれぞれ、介護補助クロスベルト１７の背面図、正面図を示している。介護補助クロスベルト１７は、腰ベルト１９と、腰ベルト１９に固定されるクロスベルト１８は、介護者１４の背中で交差する２本のベルトから成り、クロスベルト１８の４本の腕に、取っ手２が設けられている。クロスベルト１８の胸側は、交差しても良いし、平行にし前固定ベルト８等で固定しても良い。介護補助クロスベルト１７は、介護者１４の服装の一部として外観的にも自然であり、取り扱いのしやすい介護補助具である。
【００１５】  実施の形態に係る介護補助取っ手１１について、図４〜図５に基づいて説明する。図４〜図５はそれぞれ、介護補助取っ手１１の外観図、使用状態図を示している。介護補助取っ手１１は、取っ手部とベルト保持部で構成されており、腰ベルト１２をベルト保持部に挿入することで、介護補助取っ手１１は、腰ベルト１２に着脱可能に装着される。また腰ベルト１２は、個人により長さが調節出来る。
また、介護補助取っ手１１は、介護補助ベスト１又は介護補助クロスベルト１７の腰ベルト４又は１９等にも着脱可能に装着できる。
【００１６】  図６〜図７はそれぞれ、介護補助取っ手カバー１３の外観図及び展開図を示している。取っ手カバー１３は、取っ手２に巻き付け、面ファスナー等で着脱可能に固定される。複数の被介護者が取っ手２を握ることから、衛生面を確保するために取っ手カバー１３を設けることができる。
【符号の説明】
【００１７】１    介護補助ベスト
２    取っ手
３    ショルダーストラップ
４    介護補助ベストの腰ベルト
５    横補強ベルト
６    縦補強ベルト
７    ベスト本体
８    前固定ベルト
９    前固定ベルト着脱バックル
１０  腰ベルト着脱バックル
１１  介護補助取っ手
１２  腰ベルト
１３  取っ手カバー
１４  介護者
１５  被介護者
１６  斜め補強ベルト
１７  介護補助クロスベルト
１８  クロスベルト
１９  介護補助クロスベルトの腰ベルト
【図１】
0003207382.tif 000003
【図２】
0003207382.tif 000004
【図３】
0003207382.tif 000005
【図４】
0003207382.tif 000006
【図５】
0003207382.tif 000007
【図６】
0003207382.tif 000008
【図７】
0003207382.tif 000009
【図８】
0003207382.tif 000010
【図９】
0003207382.tif 000011